(57)【要約】【課題】低温でのハードディスクドライブの性能向上方法及び装置を提供する。【解決手段】（ａ）ハードディスクドライブの内部温度を測定するステップ、（ｂ）測定された内部温度が所定臨界温度以下であるか否かを検査するステップ、（ｃ）測定された内部温度が所定臨界温度以下の場合には、ハードディスクドライブのモータを所定時間駆動させ、前記（ａ）ステップに進むステップ、及び（ｄ）測定された内部温度が所定臨界温度以下でない場合には、ハードディスクドライブに対して読み取り及び書き込み動作が可能であると決定するステップを含むことを特徴とする低温でのハードディスクドライブの性能向上方法である。これにより、付加的なヒータを装着せずとも、ハードディスクドライブの内部構成要素だけを利用してヒーティングすることにより、低温でも迅速にハードディスクドライブに対する読み取り及び書き込みを行うことができる。【選択図】図１
2006202462.tif 000002
【特許請求の範囲】
【請求項１】
（ａ）ハードディスクドライブの内部温度を測定するステップと、
（ｂ）前記測定された内部温度が所定臨界温度以下であるか否かを検査するステップと、
（ｃ）前記測定された内部温度が前記所定臨界温度以下の場合には、前記ハードディスクドライブのモータを所定時間駆動させ、前記（ａ）ステップに進むステップと、
（ｄ）前記測定された内部温度が前記所定臨界温度以下でない場合には、前記ハードディスクドライブに対して読み取り及び書き込み動作が可能であると決定するステップとを含むことを特徴とする低温でのハードディスクドライブの性能向上方法。
【請求項２】
前記（ｃ）ステップは、
前記ハードディスクドライブのアクチュエータがパーキング位置にあるとき、前記モータを駆動させることを特徴とする請求項１に記載の低温でのハードディスクドライブの性能向上方法。
【請求項３】
前記低温でのハードディスクドライブの性能向上方法は、
前記ハードディスクドライブが内蔵された電子機器の電源がオンになるか、または前記電子機器の所定機能が始まるときに動作することを特徴とする請求項１に記載の低温でのハードディスクドライブの性能向上方法。
【請求項４】
（ａ）ハードディスクドライブの内部温度を測定するステップと、
（ｂ）前記測定された内部温度が所定臨界温度以下であるか否かを検査するステップと、
（ｃ）前記測定された内部温度が前記所定臨界温度以下の場合には、前記ハードディスクドライブのプリアンプを所定時間駆動させ、前記（ａ）ステップに進むステップと、
（ｄ）前記測定された内部温度が前記所定臨界温度以下でない場合には、前記ハードディスクドライブに対して読み取り及び書き込み動作が可能であると決定するステップとを含むことを特徴とする低温でのハードディスクドライブの性能向上方法。
【請求項５】
前記（ｃ）ステップは、
前記ハードディスクドライブのアクチュエータがパーキング位置にあるとき、前記プリアンプを駆動させることを特徴とする請求項４に記載の低温でのハードディスクドライブの性能向上方法。
【請求項６】
前記（ｃ）ステップは、
前記プリアンプの駆動用書き込み信号を印加し、前記プリアンプを駆動させることを特徴とする請求項４に記載の低温でのハードディスクドライブの性能向上方法。
【請求項７】
前記低温でのハードディスクドライブの性能向上方法は、
前記ハードディスクドライブが内蔵された電子機器の電源がオンになるか、または前記電子機器の所定機能が始まるときに動作することを特徴とする請求項４に記載の低温でのハードディスクドライブの性能向上方法。
【請求項８】
（ａ）ハードディスクドライブの内部温度を測定するステップと、
（ｂ）前記測定された内部温度が所定臨界温度以下であるか否かを検査するステップと、
（ｃ）前記測定された内部温度が前記所定臨界温度以下の場合には、前記ハードディスクドライブのモータ及びプリアンプを所定時間駆動させ、前記（ａ）ステップに進むステップと、
（ｄ）前記測定された内部温度が前記所定臨界温度以下でない場合には、前記ハードディスクドライブに対して読み取り及び書き込み動作が可能であると決定するステップとを含むことを特徴とする低温でのハードディスクドライブの性能向上方法。
【請求項９】
前記（ｃ）ステップは、
前記ハードディスクドライブのアクチュエータがパーキング位置にあるとき、前記モータ及び前記プリアンプを駆動させることを特徴とする請求項８に記載の低温でのハードディスクドライブの性能向上方法。
【請求項１０】
前記（ｃ）ステップは、
前記プリアンプの駆動用書き込み信号を印加し、前記プリアンプを駆動させることを特徴とする請求項８に記載の低温でのハードディスクドライブの性能向上方法。
【請求項１１】
前記低温でのハードディスクドライブの性能向上方法は、
前記ハードディスクドライブが内蔵された電子機器の電源がオンになるか、または前記電子機器の所定機能が始まるときに動作することを特徴とする請求項８に記載の低温でのハードディスクドライブの性能向上方法。
【請求項１２】
ハードディスクドライブの内部温度を測定する温度測定部と、
前記温度測定部で測定された前記内部温度が所定臨界温度以下であるか否かを検査する温度比較部と、
前記温度比較部の検査された結果に応じ、前記ハードディスクドライブのモータを所定時間駆動させるモータ駆動部と、
前記温度比較部の検査された結果に応じ、前記ハードディスクドライブに対して読み取り及び書き込み動作が可能であると決定する動作可能決定部とを備えることを特徴とする低温でのハードディスクドライブの性能向上装置。
【請求項１３】
前記モータ駆動部は、
前記ハードディスクドライブのアクチュエータがパーキング位置にあるとき、前記モータを駆動させることを特徴とする請求項１２に記載の低温でのハードディスクドライブの性能向上装置。
【請求項１４】
前記低温でのハードディスクドライブの性能向上装置は、
前記ハードディスクドライブが内蔵された電子機器の電源がオンになるか、または前記電子機器の所定機能が始まるときに動作することを特徴とする請求項１２に記載の低温でのハードディスクドライブの性能向上装置。
【請求項１５】
ハードディスクドライブの内部温度を測定する温度測定部と、
前記温度測定部で測定された前記内部温度が所定臨界温度以下であるか否かを検査する温度比較部と、
前記温度比較部の検査された結果に応じ、前記ハードディスクドライブのプリアンプを所定時間駆動させるプリアンプ駆動部と、
前記温度比較部の検査された結果に応じ、前記ハードディスクドライブに対して読み取り及び書き込み動作が可能であると決定する動作可能決定部とを備えることを特徴とする低温でのハードディスクドライブの性能向上装置。
【請求項１６】
前記プリアンプ駆動部は、
前記ハードディスクドライブのアクチュエータがパーキング位置にあるとき、前記プリアンプを駆動させることを特徴とする請求項１５に記載の低温でのハードディスクドライブの性能向上装置。
【請求項１７】
前記プリアンプ駆動部は、
前記プリアンプの駆動用書き込み信号を印加し、前記プリアンプを駆動させることを特徴とする請求項１５に記載の低温でのハードディスクドライブの性能向上装置。
【請求項１８】
前記低温でのハードディスクドライブの性能向上装置は、
前記ハードディスクドライブが内蔵された電子機器の電源がオンになるか、または前記電子機器の所定機能が始まるときに動作することを特徴とする請求項１５に記載の低温でのハードディスクドライブの性能向上装置。
【請求項１９】
ハードディスクドライブの内部温度を測定する温度測定部と、
前記温度測定部で測定された前記内部温度が所定臨界温度以下であるか否かを検査する温度比較部と、
前記温度比較部の検査された結果に応じ、前記ハードディスクドライブのモータを所定時間駆動させるモータ駆動部と、
前記温度比較部の検査された結果に応じ、前記ハードディスクドライブのプリアンプを前記所定時間駆動させるプリアンプ駆動部と、
前記温度比較部の検査された結果に応じ、前記ハードディスクドライブに対して読み取り及び書き込み動作が可能であると決定する動作可能決定部とを備えることを特徴とする低温でのハードディスクドライブの性能向上装置。
【請求項２０】
前記モータ駆動部は、
前記ハードディスクドライブのアクチュエータがパーキング位置にあるとき、前記モータを駆動させることを特徴とする請求項１９に記載の低温でのハードディスクドライブの性能向上装置。
【請求項２１】
前記プリアンプ駆動部は、
前記ハードディスクドライブのアクチュエータがパーキング位置にあるとき、前記プリアンプを駆動させることを特徴とする請求項１９に記載の低温でのハードディスクドライブの性能向上装置。
【請求項２２】
前記プリアンプ駆動部は、
前記プリアンプの駆動用書き込み信号を印加し、前記プリアンプを駆動させることを特徴とする請求項１９に記載の低温でのハードディスクドライブの性能向上装置。
【請求項２３】
前記低温でのハードディスクドライブの性能向上装置は、
前記ハードディスクドライブが内蔵された電源がオンになるか、または前記電子機器の所定機能が始まるときに動作することを特徴とする請求項１９に記載の低温でのハードディスクドライブの性能向上装置。
【発明の詳細な説明】
【技術分野】
【０００１】
本発明は、ハードディスクドライブに係り、さらに詳細には、低温でもハードディスクドライブを円滑に駆動させるための低温でのハードディスクドライブの性能向上方法及び装置に関する。
【背景技術】
【０００２】
ハードディスクドライブ（ＨＤＤ）は、アルミニウムまたはプラスチック板の表面に磁気物質を薄く被せたハードディスクの位置、読み取り、書き込み、保存などを制御する機械装置をいう。ハードディスクは磁気記録媒体であり、高速に回転し、速い伝送速度を有する大容量の記録媒体である。
【０００３】
ところで、かかるハードディスクは、低温で記録性能が低下するという問題点がある。すなわち、磁気記録媒体に該当するハードディスクは、低温で読み取りまたは書き込み動作の性能が低下する。特に、最近モバイル機器（例えば、携帯電話、個人携帯情報端末機（ＰＤＡ：Ｐｅｒｓｏｎａｌ Ｄｉｇｉｔａｌ Ａｓｓｉｓｔａｎｔ）など）にＨＤＤが適用される事例が多くなり、寒い地方や低温の気候に露出される可能性があるモバイル機器の動作時に、ハードディスクの低温特性により、機器の動作が迅速になされないという問題が発生していた。
【発明の開示】
【発明が解決しようとする課題】
【０００４】
本発明が解決しようとする技術的課題は、付加的なヒータを装着せずとも、ＨＤＤの内部構成要素だけを利用し、ヒーティング可能とする低温でのＨＤＤの性能向上方法を提供するところにある。
【０００５】
本発明が解決しようとする他の技術的課題は、付加的なヒータを装着せずとも、ＨＤＤの内部構成要素だけを利用し、ヒーティング可能とする低温でのＨＤＤの性能向上装置を提供するところにある。
【課題を解決するための手段】
【０００６】
前記の課題を解決するために、本発明による低温でのＨＤＤの性能向上方法は、（ａ）ＨＤＤの内部温度を測定するステップ、（ｂ）測定された内部温度が所定臨界温度以下であるか否かを検査するステップ、（ｃ）測定された内部温度が所定臨界温度以下の場合には、ＨＤＤのモータを所定時間駆動させ、前記（ａ）ステップに進むステップ、及び（ｄ）測定された内部温度が所定臨界温度以下でない場合には、ＨＤＤに対して読み取り及び書き込み動作が可能であると決定するステップを含むことを特徴とする。
【０００７】
また、前記の課題を解決するために、本発明による低温でのＨＤＤの性能向上方法は、（ａ）ＨＤＤの内部温度を測定するステップ、（ｂ）測定された内部温度が所定臨界温度以下であるか否かを検査するステップ、（ｃ）測定された内部温度が所定臨界温度以下の場合には、ＨＤＤのプリアンプを所定時間駆動させ、前記（ａ）ステップに進むステップ、及び（ｄ）測定された内部温度が所定臨界温度以下でない場合には、ＨＤＤに対して読み取り及び書き込み動作が可能であると決定するステップを含むことを特徴とする。
【０００８】
さらに、前記の課題を解決するために、本発明による低温でのＨＤＤの性能向上方法は、（ａ）ＨＤＤの内部温度を測定するステップ、（ｂ）測定された内部温度が所定臨界温度以下であるか否かを検査するステップ、（ｃ）測定された内部温度が所定臨界温度以下の場合には、ＨＤＤのモータ及びプリアンプを所定時間駆動させ、前記（ａ）ステップに進むステップ、及び（ｄ）測定された内部温度が所定臨界温度以下でない場合には、ＨＤＤに対して読み取り及び書き込み動作が可能であると決定するステップを含むことを特徴とする。
【０００９】
前記の他の課題を解決するために、本発明による低温でのＨＤＤの性能向上装置は、ＨＤＤの内部温度を測定する温度測定部、温度測定部で測定された内部温度が所定臨界温度以下であるか否かを検査する温度比較部、温度比較部の検査された結果に応じ、ＨＤＤのモータを所定時間駆動させるモータ駆動部、及び温度比較部の検査された結果に応じ、ＨＤＤに対して読み取り及び書き込み動作が可能であると決定する動作可能決定部を備えることを特徴とする。
【００１０】
また、前記の他の課題を解決するために、本発明による低温でのＨＤＤの性能向上装置は、ＨＤＤの内部温度を測定する温度測定部、温度測定部で測定された内部温度が所定臨界温度以下であるか否かを検査する温度比較部、温度比較部の検査された結果に応じ、ＨＤＤのプリアンプを所定時間駆動させるプリアンプ駆動部、及び温度比較部の検査された結果に応じ、ＨＤＤに対して読み取り及び書き込み動作が可能であると決定する動作可能決定部を備えることを特徴とする。
【００１１】
さらに、前記の他の課題を解決するために、本発明による低温でのＨＤＤの性能向上装置は、ＨＤＤの内部温度を測定する温度測定部、温度測定部で測定された内部温度が所定臨界温度以下であるか否かを検査する温度比較部、温度比較部の検査された結果に応じ、ＨＤＤのモータを所定時間駆動させるモータ駆動部、温度比較部の検査された結果に応じ、ＨＤＤのプリアンプを所定時間駆動させるプリアンプ駆動部、及び温度比較部の検査された結果に応じ、ＨＤＤに対して読み取り及び書き込み動作が可能であると決定する動作可能決定部を備えることを特徴とする。
【発明の効果】
【００１２】
本発明の低温でのＨＤＤの性能向上方法及び装置によれば、付加的なヒータを装着せずとも、ＨＤＤの内部構成要素だけを利用し、ＨＤＤ内部温度を上昇させることができる。
【００１３】
本発明の低温でのＨＤＤの性能向上方法及び装置によれば、低温でも迅速にＨＤＤに対する読み取り及び書き込みを実行することができる。
【００１４】
また、本発明の低温でのＨＤＤの性能向上方法及び装置によれば、低温環境で使われるモバイル機器などに対しても迅速にＨＤＤの駆動を実行することができる。
【発明を実施するための最良の形態】
【００１５】
以下、本発明による低温でのＨＤＤの性能向上方法に係る一実施形態を添付図面を参照しつつ、次の通り説明する。
【００１６】
図１は、本発明による低温でのＨＤＤの性能向上方法を説明するための一実施形態のフローチャートである。
【００１７】
まず、ＨＤＤの内部温度を測定する（ステップ１０）。ＨＤＤの内部温度は、温度センサまたは温度を測定できる測定装置を使用して測定する。
【００１８】
ステップ１０後に、測定された内部温度が所定臨界温度以下であるか否かを検査する（ステップ１２）。所定臨界温度は、ＨＤＤが正常に動作されうる最低の温度として決まる。モバイル機器（例えば、携帯電話、ＰＤＡなど）、ＭＰ３（ＭＰＥＧ ａｕｄｉｏ ｓｔｒｅａｍ Ｌａｙｅｒ−３）、ＰＣ（Ｐｅｒｓｏｎａｌ Ｃｏｍｐｕｔｅｒ）、ノート型ＰＣなど電子機器に内蔵されたＨＤＤは、寒い地方や低温の気候でも使われる。従って、かかる低温の環境に該当する０℃の温度を所定臨界温度として設定する。測定されたＨＤＤの内部温度と既定の所定臨界温度とを比較し、測定された内部温度が所定臨界温度以下であるか否かを検査する。
【００１９】
もし、測定された内部温度が所定臨界温度以下の場合には、ＨＤＤのモータを所定時間駆動させ（ステップ１４）、前記ステップ１０に進む。測定された内部温度が所定臨界温度以下であるような環境は、ＨＤＤが正常に動作できる環境であるといえない。そのときには、ＨＤＤが正常に動作されうるように、ＨＤＤの内部温度を上昇させる必要がある。ＨＤＤの内部温度を上昇させるために、ＨＤＤの内部に備わったＨＤＤのモータを回転させる。
【００２０】
モータの回転により、ＨＤＤ内で電力消費及び流体移動が起これば、これによる熱の発生及び熱の伝導がなされる。かかる発熱により、ＨＤＤの内部温度が上昇する。
【００２１】
ここで所定時間とは、ＨＤＤが正常に駆動できる程度の温度上昇が期待されるモータの駆動時間を意味する。
【００２２】
本実施形態においては、モータが、ＨＤＤのアクチュエータがパーキング位置にあるときに駆動されることを特徴とする。すなわち、本実施形態は、ＨＤＤの本来の動作に該当する読み取りまたは書き込み動作のためにモータを駆動させるのではなく、単にＨＤＤの内部温度を上昇させるためにモータを駆動するものであるから、アクチュエータは、読み取りまたは書き込み動作を行うための位置にある必要はない。従って、アクチュエータがパーキング位置にある状態でモータを駆動させる。
【００２３】
ステップ１２で、測定された内部温度が所定臨界温度以下でない場合には、ＨＤＤに対して読み取り及び書き込み動作が可能であると決定する（ステップ１６）。測定された内部温度が所定臨界温度以下でないような環境は、ＨＤＤが、正常な動作が可能な程度の内部温度を維持しているということを表す。従って、そのときには、ＨＤＤの本来の動作に該当する読み取りまたは書き込み動作が可能であるという決定を下す。かかる決定が下されれば、ＨＤＤは、本来の動作を行う。
【００２４】
本実施形態による低温でのＨＤＤの性能向上方法は、ＨＤＤが内蔵された電子機器の電源がオンになるか、または電子機器の所定機能が始まるときに動作することを特徴とする。すなわち、ＨＤＤが内蔵されたモバイル機器、ＭＰ３、ＰＣ、ノート型ＰＣのような電子機器電源がオンになるとき、または電子機器の所定機能に該当するネットワーク接続命令や音楽ファイルモードのような命令がなされたときに、前述のステップ１０ないしステップ１６が行われることを特徴とする。
【００２５】
以下、本発明による低温でのＨＤＤの性能向上方法に係る他の一実施形態を添付された図面を参照しつつ、次の通り説明する。
【００２６】
図２は、本発明による低温でのＨＤＤの性能向上方法を説明するための他の一実施形態のフローチャートである。
【００２７】
まず、ＨＤＤの内部温度を測定する（ステップ３０）。ＨＤＤの内部温度は、ステップ１０（図１）と同様に、温度センサまたは温度を測定できる測定装置を使用して測定する。
【００２８】
ステップ３０後に、測定された内部温度が所定臨界温度以下であるか否かを検査する（ステップ３２）。所定臨界温度は、ＨＤＤが正常に動作されうる最低の温度として決まる。ステップ３２は、前述のステップ１２と同一なので、説明を省略する。
【００２９】
もし、測定された内部温度が所定臨界温度以下の場合には、ＨＤＤのプリアンプを所定時間駆動させ（ステップ３４）、前記ステップ３０に進む。測定された内部温度が所定臨界温度以下であるような環境は、ＨＤＤが正常に動作されうる環境であるといえない。そのときには、ＨＤＤが正常に動作されうるように、ＨＤＤの内部温度を上昇させる必要がある。ＨＤＤの内部温度を上昇させるために、ＨＤＤの内部に備わったＨＤＤのプリアンプを駆動させる。
【００３０】
プリアンプは、低いレベルの信号を増幅し、信号を受けて調節した後に伝送する役割を担当する。プリアンプは、前述の機能の実行により、発熱を生じさせている。かかるプリアンプの動作による発熱を利用し、ＨＤＤの内部温度を上昇させることが本実施形態の特徴である。
【００３１】
プリアンプの動作によって熱が発生し、かかる発熱によってＨＤＤの内部温度が上昇する。
【００３２】
プリアンプの駆動のために、プリアンプ駆動用書き込み信号をプリアンプに印加する。プリアンプ駆動用書き込み信号は、プリアンプの本来の動作のための信号ではなく、単にプリアンプの駆動のためのダミー信号である。
【００３３】
所定時間とは、前述した実施形態と同様、ＨＤＤが正常に駆動できる程度の温度上昇が期待されるプリアンプの駆動時間を意味する。
【００３４】
本実施形態においては、プリアンプが、ＨＤＤのアクチュエータがパーキング位置にあるときに駆動されることを特徴とする。すなわち、本発明は、ＨＤＤの本来の動作に該当する読み取りまたは書き込み動作のためにモータを駆動させるのではなく、単にＨＤＤの内部温度を上昇させるためにプリアンプを駆動することであるから、アクチュエータは、読み取りまたは書き込み動作を行うための位置にある必要はない。従って、アクチュエータがパーキング位置にある状態でプリアンプを駆動させる。
【００３５】
ステップ３２で、測定された内部温度が所定臨界温度以下でない場合には、ＨＤＤに対して読み取り及び書き込み動作が可能であると決定する（ステップ３６）。測定された内部温度が所定臨界温度以下でないような環境は、ＨＤＤが、正常な動作が可能な程度の内部温度を維持しているということを表す。従って、そのときには、ＨＤＤの本来の動作に該当する読み取りまたは書き込み動作が可能であるという決定を下す。かかる決定が下されれば、ＨＤＤは本来の動作を行う。
【００３６】
本実施形態による低温でのＨＤＤの性能向上方法は、ＨＤＤが内蔵された電子機器の電源がオンになるか、または電子機器の所定機能が始まるときに動作することを特徴とする。すなわち、ＨＤＤが内蔵されたモバイル機器、ＭＰ３、ＰＣ、ノート型ＰＣのような電子機器電源がオンになるとき、または電子機器の所定機能に該当するネットワーク接続命令や音楽ファイルモードのような命令がなされたときに、前述のステップ３０ないしステップ３６が実行されることを特徴とする。
【００３７】
以下、本発明による低温でのＨＤＤの性能向上方法に係るさらに他の一実施形態を添付された図面を参照しつつ、次の通り説明する。
【００３８】
図３は、本発明による低温でのＨＤＤの性能向上方法を説明するためのさらに他の一実施形態のフローチャートである。
【００３９】
まず、ＨＤＤの内部温度を測定する（ステップ５０）。ＨＤＤの内部温度は、ステップ１０（図１）、及びステップ３０（図２）と同様に、温度センサまたは温度を測定できる測定装置を使用して測定する。
【００４０】
ステップ５０後に、測定された内部温度が所定臨界温度以下であるか否かを検査する（ステップ５２）。所定臨界温度は、ＨＤＤが正常に動作されうる最低の温度として決まる。ステップ５２は、前述のステップ１２及びステップ３２と同一なので、説明を省略する。
【００４１】
もし、測定された内部温度が所定臨界温度以下の場合には、ＨＤＤのモータ及びプリアンプを所定時間駆動させ（ステップ５４）、前記ステップ５０に進む。測定された内部温度が所定臨界温度以下であるような環境は、ＨＤＤが正常に動作されうる環境であるといえない。そのときには、ＨＤＤが正常に動作されうるように、ＨＤＤの内部温度を上昇させる必要がある。ＨＤＤの内部温度を上昇させるために、ＨＤＤの内部に備わったＨＤＤのモータ及びプリアンプを駆動させる。
【００４２】
前述のように、モータ及びプリアンプの動作によって熱が発生し、かかる発熱によってＨＤＤの内部温度が上昇する。プリアンプの駆動のために、プリアンプ駆動用書き込み信号をプリアンプに印加する。プリアンプ駆動用書き込み信号は、プリアンプの本来の動作のための信号ではなく、単にプリアンプの駆動のためのダミー信号である。
【００４３】
所定時間とは、前述した実施形態と同様、ＨＤＤが正常に駆動できる程度の温度上昇が期待されるモータ及びプリアンプの駆動時間を意味する。
【００４４】
本実施形態においては、モータ及びプリアンプが、ＨＤＤのアクチュエータがパーキング位置にあるときに駆動されることを特徴とする。すなわち、本発明は、ＨＤＤの本来の動作に該当する読み取りまたは書き込み動作のためにモータを駆動させるものことでなく、単にＨＤＤの内部温度を上昇させるためにプリアンプを駆動するものであるから、アクチュエータは、読み取りまたは書き込み動作を行うための位置にある必要はない。従って、アクチュエータがパーキング位置にある状態で、モータ及びプリアンプを駆動させる。
【００４５】
ステップ５２で、測定された内部温度が所定臨界温度以下でない場合には、ＨＤＤに対して読み取り及び書き込み動作が可能であると決定する（ステップ５６）。測定された内部温度が所定臨界温度以下でないような環境は、ＨＤＤが、正常な動作が可能な程度の内部温度を維持しているということを表す。従って、そのときには、ＨＤＤの本来の動作に該当する読み取りまたは書き込み動作が可能であるという決定を下す。かかる決定が下されれば、ＨＤＤは本来の動作を行う。
【００４６】
本実施形態による低温でのＨＤＤの性能向上方法は、ＨＤＤが内蔵された電子機器の電源がオンになるか、または電子機器の所定機能が始まるときに動作することを特徴とする。すなわち、ＨＤＤが内蔵されたモバイル機器、ＭＰ３、ＰＣ、ノート型ＰＣのような電子機器電源がオンになるとき、または電子機器の所定機能に該当するネットワーク接続命令や音楽ファイルモードのような命令がなされたときに、前述のステップ５０ないしステップ５６が実行されることを特徴とする。
【００４７】
以下、本発明による低温でのＨＤＤの性能向上装置の一実施形態を添付された図面を参照しつつ、次の通り説明する。
【００４８】
図４は、本発明による低温でのＨＤＤの性能向上装置を説明するための一実施形態のブロック図であり、温度測定部１００、温度比較部１１０、モータ駆動部１２０及び動作可能決定部１３０から構成される。
【００４９】
温度測定部１００は、ＨＤＤの内部温度を測定し、測定した結果を温度比較部１１０に出力する。温度測定部１００は、ＨＤＤの内部温度を測定するために、温度センサまたは温度を測定できる測定装置を備える。
【００５０】
温度比較部１１０は、温度測定部１００で測定された内部温度が所定臨界温度以下であるか否かを検査し、検査した結果をモータ駆動部１２０及び動作可能決定部１３０に出力する。所定臨界温度は、ＨＤＤが正常に動作されうる最低の温度として決まる。温度比較部１１０は、測定されたＨＤＤの内部温度と既定の所定臨界温度とを比較し、測定された内部温度が所定臨界温度以下であるか否かを検査する。
【００５１】
モータ駆動部１２０は、温度比較部１１０の検査された結果に応じ、ＨＤＤのモータを所定時間駆動させる。
【００５２】
測定された内部温度が所定臨界温度以下であるという検査結果が温度比較部１１０から入力されれば、モータ駆動部１２０は、ＨＤＤの内部温度を上昇させるために、ＨＤＤの内部に備わったＨＤＤのモータを回転させる。モータの回転により、ＨＤＤ内で電力消費及び流体移動が起こり、発熱によってＨＤＤの内部温度が上昇する。
【００５３】
モータ駆動部１２０は、ＨＤＤが正常に駆動できる程度の温度上昇が期待される所定時間モータを駆動させる。
【００５４】
本実施形態においては、モータ駆動部１２０が、ＨＤＤのアクチュエータがパーキング位置にあるとき、モータを駆動させることを特徴とする。
【００５５】
動作可能決定部１３０は、温度比較部１１０の検査された結果に応じ、ＨＤＤに対して読み取り及び書き込み動作が可能であると決定する。
【００５６】
測定された内部温度が所定臨界温度以下ではないという検査結果が温度比較部１１０から入力されれば、動作可能決定部１３０は、ＨＤＤの本来の動作に該当する読み取りまたは書き込み動作が可能であるという決定を下す。かかる決定が下されれば、ＨＤＤは、本来の動作を行うことができる状態となる。
【００５７】
本実施形態による低温でのＨＤＤの性能向上装置は、ＨＤＤが内蔵された電子機器の電源がオンになるか、または電子機器の所定機能が始まるときに動作することを特徴とする。すなわち、ＨＤＤが内蔵されたモバイル機器、ＭＰ３、ＰＣ、ノート型ＰＣのような電子機器電源がオンになるとき、または電子機器の所定機能に該当するネットワーク接続命令や音楽ファイルモードのような命令がなされたとき、前述の温度測定部１００、温度比較部１１０、モータ駆動部１２０及び動作可能決定部１３０の動作が実行されることを特徴とする。
【００５８】
以下、本発明による低温でのＨＤＤの性能向上装置の他の一実施形態を添付された図面を参照しつつ、次の通り説明する。
【００５９】
図５は本発明による低温でのＨＤＤの性能向上装置を説明するための他の一実施形態のブロック図であり、温度測定部２００、温度比較部２１０、プリアンプ駆動部２２０及び動作可能決定部２３０から構成される。
【００６０】
温度測定部２００は、ＨＤＤの内部温度を測定し、測定した結果を温度比較部２１０に出力する。温度測定部２００は、ＨＤＤの内部温度を測定するために、温度センサまたは温度を測定できる測定装置を備える。
【００６１】
温度比較部２１０は、温度測定部２００で測定された内部温度が所定臨界温度以下であるか否かを検査し、検査した結果をプリアンプ駆動部２２０及び動作可能決定部２３０に出力する。所定臨界温度は、ＨＤＤが正常に動作されうる最低の温度として決まる。温度比較部２１０は、測定されたＨＤＤの内部温度と既定の所定臨界温度とを比較し、測定された内部温度が所定臨界温度以下であるか否かを検査する。
【００６２】
プリアンプ駆動部２２０は、温度比較部２１０の検査された結果に応じ、ＨＤＤのプリアンプを所定時間駆動させる。プリアンプは低いレベルの信号を増幅し、信号を受けて調節した後に伝送する役割を担当する。プリアンプは、前述の機能の実行により発熱を生じさせている。かかるプリアンプの動作による発熱を利用し、ＨＤＤの内部温度を上昇させることが本実施形態の特徴である。
【００６３】
プリアンプの駆動のために、プリアンプ駆動部２２０は、プリアンプ駆動用書き込み信号をプリアンプに印加する。プリアンプ駆動用書き込み信号は、プリアンプの本来の動作のための信号ではなく、単にプリアンプの駆動のためのダミー信号である。
【００６４】
測定された内部温度が所定臨界温度以下であるという検査結果が温度比較部２１０から入力されれば、プリアンプ駆動部２２０は、ＨＤＤの内部温度を上昇させるために、ＨＤＤの内部に備わったＨＤＤのプリアンプを駆動させる。プリアンプの駆動により、ＨＤＤ内で熱が発生し、発熱によってＨＤＤの内部温度が上昇する。
【００６５】
プリアンプ駆動部２２０は、ＨＤＤが正常に駆動できる程度の温度上昇が期待される所定時間プリアンプを駆動させる。
【００６６】
本実施形態においては、プリアンプ駆動部２２０が、ＨＤＤのアクチュエータがパーキング位置にあるとき、プリアンプを駆動させることを特徴とする。
【００６７】
動作可能決定部２３０は、温度比較部２１０の検査された結果に応じ、ＨＤＤに対して読み取り及び書き込み動作が可能であると決定する。
【００６８】
測定された内部温度が所定臨界温度以下ではないという検査結果が温度比較部２１０から入力されれば、動作可能決定部２３０は、ＨＤＤの本来の動作に該当する読み取りまたは書き込み動作が可能であるという決定を下す。かかる決定が下されれば、ＨＤＤは、本来の動作を行うことができる状態となる。
【００６９】
本実施形態による低温でのＨＤＤの性能向上装置は、ＨＤＤが内蔵された電子機器の電源がオンになるか、または電子機器の所定機能が始まるときに、動作することを特徴とする。すなわち、ＨＤＤが内蔵されたモバイル機器、ＭＰ３、ＰＣ、ノート型ＰＣのような電子機器電源がオンになるとき、または電子機器の所定機能に該当するネットワーク接続命令や音楽ファイルモードのような命令がなされたときに、前述の温度測定部２００、温度比較部２１０、プリアンプ駆動部２２０及び動作可能決定部２３０の動作が実行されることを特徴とする。
【００７０】
以下、本発明による低温でのＨＤＤの性能向上装置のさらに他の一実施形態を添付された図面を参照しつつ、次の通り説明する。
【００７１】
図６は、本発明による低温でのＨＤＤの性能向上装置を説明するためのさらに他の一実施形態のブロック図であり、温度測定部３００、温度比較部３１０、モータ駆動部３２０、プリアンプ駆動部３３０及び動作可能決定部３４０から構成される。
【００７２】
温度測定部３００は、ＨＤＤの内部温度を測定し、測定した結果を温度比較部３１０に出力する。温度測定部３００は、ＨＤＤの内部温度を測定するために、温度センサまたは温度を測定できる測定装置を備える。
【００７３】
温度比較部３１０は、温度測定部３００で測定された内部温度が所定臨界温度以下であるか否かを検査し、検査した結果をモータ駆動部３２０、プリアンプ駆動部３３０及び動作可能決定部３４０に出力する。所定臨界温度は、ＨＤＤが正常に動作されうる最低の温度として決まる。温度比較部３１０は、測定されたＨＤＤの内部温度と既定の所定臨界温度とを比較し、測定された内部温度が所定臨界温度以下であるか否かを検査する。
【００７４】
モータ駆動部３２０は、温度比較部３１０の検査された結果に応じ、ＨＤＤのモータを所定時間駆動させる。
【００７５】
測定された内部温度が所定臨界温度以下であるという検査結果が温度比較部３１０から入力されれば、モータ駆動部３２０は、ＨＤＤの内部温度を上昇させるために、ＨＤＤの内部に備わったＨＤＤのモータを回転させる。モータの回転により、ＨＤＤ内で電力消費及び流体移動が起こり、発熱によってＨＤＤの内部温度が上昇する。
【００７６】
モータ駆動部３２０は、ＨＤＤが正常に駆動できる程度の温度上昇が期待される所定時間モータを駆動させる。
【００７７】
本実施形態においては、モータ駆動部３２０が、ＨＤＤのアクチュエータがパーキング位置にあるとき、モータを駆動させることを特徴とする。
【００７８】
プリアンプ駆動部３３０は、温度比較部３１０の検査された結果に応じ、ＨＤＤのプリアンプを所定時間駆動させる。
【００７９】
プリアンプの駆動のために、プリアンプ駆動部３３０は、プリアンプ駆動用書き込み信号をプリアンプに印加する。
【００８０】
測定された内部温度が所定臨界温度以下であるという検査結果が温度比較部３１０から入力されれば、プリアンプ駆動部３３０は、ＨＤＤの内部温度を上昇させるために、ＨＤＤの内部に備わったＨＤＤのプリアンプを駆動させる。プリアンプの駆動により、ＨＤＤ内で熱が発生し、発熱によってＨＤＤの内部温度が上昇する。
【００８１】
プリアンプ駆動部３３０は、ＨＤＤが正常に駆動できる程度の温度上昇が期待される所定時間プリアンプを駆動させる。
【００８２】
また、本実施形態においては、プリアンプ駆動部３３０が、ＨＤＤのアクチュエータがパーキング位置にあるとき、プリアンプを駆動させることも特徴とする。
【００８３】
動作可能決定部３４０は、温度比較部３１０の検査された結果に応じ、ＨＤＤに対して読み取り及び書き込み動作が可能であると決定する。
【００８４】
測定された内部温度が所定臨界温度以下ではないという検査結果が温度比較部３１０から入力されれば、動作可能決定部３４０は、ＨＤＤの本来の動作に該当する読み取りまたは書き込み動作が可能であるという決定を下す。かかる決定が下されれば、ＨＤＤは、本来の動作を行うことができる状態となる。
【００８５】
本実施形態による低温でのＨＤＤの性能向上装置は、ＨＤＤが電子機器の電源がオンになるか、または電子機器の所定機能が始まるときに、動作することを特徴とする。すなわち、ＨＤＤが内蔵されたモバイル機器、ＭＰ３、ＰＣ、ノート型ＰＣのような電子機器電源がオンになるとき、または電子機器の所定機能に該当するネットワーク接続命令や音楽ファイルモードのような命令がなされたときに、前述の温度測定部３００、温度比較部３１０、モータ駆動部３２０、プリアンプ駆動部３３０及び動作可能決定部３４０の動作が実行されることを特徴とする。
【００８６】
以上の通り、本願発明の低温でのＨＤＤの性能向上方法及び装置について、理解を助けるために図示された種々の実施形態を参考に説明したが、これらは、例示的なものに過ぎず、当分野で当業者ならば、これらから多様な変形及び均等な他実施形態が可能であるという点が理解できるであろう。従って、本発明の真の技術的保護範囲は、特許請求の範囲より決まるものである。
【産業上の利用可能性】
【００８７】
本発明の低温でのＨＤＤの性能向上方法及び装置は、例えばＨＤＤ関連の技術分野に効果的に適用可能である。
【図面の簡単な説明】
【００８８】
【図１】本発明による低温でのＨＤＤの性能向上方法を説明するための一実施形態のフローチャートである。
【図２】本発明による低温でのＨＤＤの性能向上方法を説明するための他の一実施形態のフローチャートである。
【図３】本発明による低温でのＨＤＤの性能向上方法を説明するためのさらに他の一実施形態のフローチャートである。
【図４】本発明による低温でのＨＤＤの性能向上装置を説明するための一実施形態のブロック図である。
【図５】本発明による低温でのＨＤＤの性能向上装置を説明するための他の一実施形態のブロック図である。
【図６】本発明による低温でのＨＤＤの性能向上装置を説明するためのさらに他の一実施形態のブロック図である。
【符号の説明】
【００８９】
１００，２００，３００    温度測定部
１１０，２１０，３１０    温度比較部
１２０，３２０    モータ駆動部
１３０，２３０，３４０    動作可能決定部
２２０，３３０    プリアンプ駆動部
【図１】
2006202462.tif 000003
【図２】
2006202462.tif 000004
【図３】
2006202462.tif 000005
【図４】
2006202462.tif 000006
【図５】
2006202462.tif 000007
【図６】
2006202462.tif 000008